(57)【要約】      （修正有）【課題】縦横の長さ２対１の長方形の板の縦横等自在に連結して、広さ、形状自由な間仕切り部屋や、自由迷路、建物、自動車、電車、汽車、船、飛行機、ロケットなどの多様な立体構造物の形を模した子供にとって実物大に近い構造物を自在、且つ簡単に、反復して、組み立て、解体して遊ぶことのできることのできる疑似立体構造物自在組立てセットを提供する。【解決手段】縦横の長さ２対１の長方形の板の周縁辺部又は、周縁辺部及び内部適所に相互に位置を対応させた連結小孔２を設けた自在連結板１と自在連結板１を相互に周辺縁部叉は内部の適宜の連結小孔２に貫通させて連結するための連結ベルトで構成され、自在連結板１を連結ベルトで自在に連結することにより所望の構造物を組み立てることを特徴とする。【選択図】図１
2018140134.tif 000002
【特許請求の範囲】
【請求項１】
縦横の長さが２対１の矩形の板の周縁辺部に、縦横２対１の数で相互に位置を対応させた連結小孔を設けた自在連結板と、転結のための複数の自在連結板を相対応する周辺縁部の連結小孔に貫通させて連結するための連結ベルトで構成され、所要の複数の自在連結板を連結ベルトで次々と縦横自在に連結してゆくことにより所望の形状の各種の近実物大の疑似構造物を自由に組み立て、組み替えて遊ぶことのできる立体構造物自在組立て遊具キット
【請求項２】
請求項１において、自在連絡版の周縁辺部の連結小孔に加えて、板の内部にも周縁辺部に設けた連結小孔に相対応する位置に連結小孔を設けた自在連結版を所用数含む構造物自在組立て遊具キット。
【請求項３】
請求項１、および２において、従たる連結板として、正方形、正３角形、直角３角形、正５角形、アーチ形等の各種形状の板及びドアー板であって、自在連結板と大きさおよび連結小孔の位置を対応させた各種形状の連結板を所要数含む構造物自在組立て遊具キット。
【請求項４】
請求項１、２、３の発明において、連結ベルトが長尺状の両平面ファスナーである請求項１の構造物自在組立て遊具キット。
【発明の詳細な説明】
【技術分野】
【０００１】  この発明は、縦横長２対１の自在連結板を縦横等自在に連結して、広さ、形状等が自由な間仕切り部屋や、自由迷路、建物、自動車、電車、汽車、船、飛行機などの多様な構造物の形を模したおおむね実物の縮尺２分の１の大きさの疑似構造物を自在、且つ簡単に、反復して、組立てたり、組み替えたり、解体して遊ぶことが出来る技術に関する。
【背景技術】
【０００２】  従来、本件発明の様に、矩形の板を自在に連結して各種、多用な近実物大の立体構造物を組み立てることを目的とした先行技術は見当らず、本件目的に転用可能な技術としては特許文献１があるのみでり。本発明は、特許文献１の技術を発展させたものである。【０００３】  矩形の板を連接するという思想、目的を持った関連技術としては、各種の催し等における屋内外の会場の間仕切りや災害避難所となった体育館等に必要な小空間を構成するために板状のものを連結して間仕切る技術があり、そのようなものとして特許文献１以下、下記の発明、考案等がある。【０００４】  特許文献１は、外形状を矩形とされ、側辺及び端辺の少なくとも一方にそれぞれ少なくとも１個の連結小孔が形成された複数枚の間仕切り板を側辺叉は端辺を互いに突き合せるようにして対応する連結小孔に連結ベルトを貫通させて結束し間仕切りを構成するものであり、特許文献２は板の縁辺にビス等で取り付ける継ぎ既存のヒンジ構造を板の厚さで両角辺に設け、ピンの抜き差しで連結、切り離しが出来る構造であり、特許文献３ないし特許文献５はいずれもパネルの側端に連結部材を突設し、特許文献３及び特許文献４は連結のための支柱を介し、特許文献５はジョイント金具を介して複数のパネルを連結するものである。
【特許文献１】特開平２００７−１１３３６６
【特許文献２】特開２００１−２２０８４６
【特許文献３】特開２０００−３５５９９７
【特許文献４】特開平８−１０５１３１
【特許文献５】実開平５−８３４２０
【発明の概要】
【発明が解決しようとする課題】
【０００５】    前掲の、背景諸技術には以下のような、欠点、課題がある
特許文献１は、本件発明の基礎となったものであり、板の表裏、上下、縦横の連結の方向や一辺に連結する連結版の枚数連結などに制限なく、縦横等自在に組み合わ連結せることが可能な構造になっており、この構造のみでも、相当種類の形状の疑似立体構造物を組み立てることが出来る性能を有している。しかしながら、板の形状が単に矩形としていること、連結小孔が板の周縁辺部にのみしか設けられていないというなどの点によって、本件発明に比し、組み立て得る構造物の形状、種類の多様性に劣っている。【０００６】  特許文献２は、隣接する２枚の板を直線状に連結する時には両角を合わせて２本のピンで留めるが、一辺に３枚以上をつき合わせて連結するときは片方のみを順次連結することによって角度を持たせて連結したり、一辺に３枚までの板を隣接連結することも出来る機能を有しており、この構造のジョイントを四周辺縁に取り付ければ縦横にもある程度連結可能である点において、特許文献３ないし５に比べると多少の連結の多様性、融通性を有しているが、ジョイントの向きによって連結できない組み合わせが生じ、全く自由には連結できないものであり、軽易に自由構造物を組み立てる目的を持つ構造としては不適当ある。また、連結ジョイントを使用するためには板の素材は堅牢な素材にするか、ジョイントを取り付けるための堅牢な枠を必要とするという制約もある。【０００７】  特許文献３，４、５は、一辺連結枚数、方向が限られ、単純な間仕切り区画構造物以外組立て可能な構造物、形状は殆んどない。【０００８】  以上、前掲の背景特許技術は、いずれも、単純な間仕切り区画構造を構成する目的のものであって、特許文献１を除き、本件発明が目指す各種の自由構造物を組み立てる目的には転用できないものである。加えて、特許文献２ないし５は、いずれもジョイント構造を必要とし、ジョイント構造も複雑であり、ジョイントを取り付けるためには板の素材も限定され、生産工程が複雑で、コストもかかり、各種構造物組み立てるに必要な多数の板を必要とするセットには不適である。【０００９】  本発明は、構造簡単且つ、連結の自在性に富み、単に、間仕切り区画を構成するだけでなく、簡単に、各種多様な立体構造物を反復して、軽易に組立てたり、組み替えたり、解体することの出来る技術を提供する目的を有するものである。
【課題を解決するための手段】
【００１０】  本発明は、上記目的を達成するため、以下のごとき手段を用いる。
まず、連結には、ジョイント類を一切使用せず、板に連結小孔を設け、これに縦横、連結枚数等自在に連結ベルトを貫通させ連結するという手段を用いる。
自在連結板は、より連結の多様性を持たせるため、連結小孔は連結板の周縁辺部だけでなく、内部適所にも周縁辺部の連結小孔に相互関連させて設ける。【００１１】  また、主たる連結版の形状を縦横連結の融通性、整合性を有する縦横の長さ２対１の長方形とし、且つ、連結小孔の数は縦横２対１となるように配列設置する。【００１２】  さらに、補助的な組立てセット構成品として、主たる連結板たる自在連結板と大きさ及び、周辺縁及び内部に設けた連結小孔の位置を相互に対応させて設けた、正方形、正３角形、正５角形、アーチ形等の各種形状板及びドアー板など、各種形状の連結板を所要数含ませると、組み立て得る構造物の多様性をさらに拡大することが出来る。
【発明の効果】
【００１３】  本発明は、連結のためのジョイント類を一切用いず、連結小孔と連結ベルトにより連結するという簡単、単純な構造としたことで、連結枚数、連結方向等、多様、自在に連結できることにより、各種構造物の組立てが可能となる。【００１４】  さらに、主たる連結板の形状を縦横の長さ２対１の長方形の板とすることにより、縦横等連結の融通性を付与し、組立て可能な構造物の種類、多様性を増加させている。【００１５】  さらに、連結小孔の位置を板の周辺縁のみでなく、板の内部にも連結小孔を設けることによって連結の多様性を拡大させ、組立て可能な構造物の種類がさらに増加する。【００１６】  さらに、組立てセット構成品に、正３角形、直角３角形、正方形、正５角形、アーチ形等の各種形状の従たる連結板を含ませることにより連結の多様性、融通性が増大し、より多様な形状の構造物の創造組立てが可能となる。【００１７】  本発明は、連結のためのジョイント類の取り付け、使用を必要とせず、連結小孔を設けるだけの構造であるので、板の材質の選択範囲が広い。また、製造もきわめて簡単で、当然に製造コストも抑えられる。
【図面の簡単な説明】
【００１８】
【図１】本発明の主たる連結板である自在連結板の平面図
【図２】本発明の従たる連結板うちアーチ型板、ドア板の平面図
【図３】本発明の従たる連結板各種例の平面図
【図４】本発明の使用状態（組み立て得る構造物）を例示する各種構造物斜視図
【符号の説明】
【００１９】１  自在連結板
２  連結小孔
【発明を実施するための最良の形態】
【００２０】  本発明なる組立てセットは、使用の目的、屋外か、屋内で使用するかなどにより、状況に適した材質、大きさを選定することになるが、本発明の組立てセットを、幼児、児童の遊具とする場合は、板の材質は、段ボール、プラスティック段ボール、発泡プラスティック類など軽量で、安全なものとし、自在連結版の大きさは、幼児、児童の発育に合わせ、長辺６０ｃｍから１２０ｃｍ程度の大きさとする。
また、連結小孔の数は長辺対短辺２対１の数とし、長辺４箇所、短辺２箇所以上とする。
【図１】
2018140134.tif 000003
【図２】
2018140134.tif 000004
【図３】
2018140134.tif 000005
【図４】
2018140134.tif 000006